(57)【要約】【課題】身体表面の一部を求心的に持上げるような処置を補助することが可能なテーピング用テープおよびテープ部材を提供する。【解決手段】テーピング用テープ１０は、表面に粘着層が形成された基材を含むテーピング用テープ１０であって、基材１は、平面視における中央部１０ａと第１部分１０ｂと第２部分１０ｄとを含む。第１部分１０ｂは、中央部１０ａから第１の方向に延びる。第２部分１０ｄは、中央部１０ａから、第１の方向とは異なる第２の方向に延びる。第１部分および第２部分は、弾性を有する部分を有する。【選択図】図１
2016116604.tif 000002
【特許請求の範囲】
【請求項１】
表面に粘着層が形成された基材を備えるテーピング用テープであって、
前記基材は、
平面視における中央部と、
前記中央部から第１の方向に延びる第１部分と、
前記中央部から、前記第１の方向とは異なる第２の方向に延びる第２部分とを含み、
前記第１の部分および前記第２の部分は、弾性を有する部分を有する、テーピング用テープ。
【請求項２】
前記基材は、前記中央部から、前記第１の方向および前記第２の方向のいずれとも異なる第３の方向に延びる第３部分を含む、請求項１に記載のテーピング用テープ。
【請求項３】
前記基材は、前記中央部から、前記第１の方向、前記第２の方向および前記第３の方向のいずれとも異なる第４の方向に延びる第４部分を含む、請求項２に記載のテーピング用テープ。
【請求項４】
請求項１〜３のいずれか１項に記載のテーピング用テープと、
前記粘着層と接触することにより前記テーピング用テープを支持する剥離シートとを備える、テープ部材。
【請求項５】
前記剥離シートにおいて、前記中央部と平面視において重なる部分が他の部分と独立して前記テーピング用テープから剥離可能になっている、請求項４に記載のテープ部材。
【発明の詳細な説明】
【技術分野】
【０００１】
この発明は、テーピング用テープおよびテープ部材に関し、より特定的には、人体に貼付するテーピング用テープおよびテープ部材に関する。
【背景技術】
【０００２】
従来、スポーツや外科的治療などの分野において、身体に貼って使用するテーピング用テープが知られている（たとえば、特開２０１０−１２４９２６号公報参照）。
【先行技術文献】
【特許文献】
【０００３】
【特許文献１】特開２０１０−１２４９２６号公報
【発明の概要】
【発明が解決しようとする課題】
【０００４】
上述した従来のテーピング用テープは、身体機能の補助、保護および固定などを目的としているが、基本的にはテーピング用テープを貼付した部分を押圧する、あるいは固定することを目的としている。一方、身体機能の補助や治療といった観点から、身体表面の一部において所定の広さの領域（たとえば直径１ｃｍ程度の円形の領域）をその周囲から（求心的に）持上げるような処置を行う場合があるが、このような処置を補助するテーピング用テープは従来知られていない。
【０００５】
この発明は、上記のような課題を解決するためになされたものであり、この発明の目的は、身体表面の一部を求心的に持上げるような処置を補助することが可能なテーピング用テープおよびテープ部材を提供することである。
【課題を解決するための手段】
【０００６】
この発明の一実施形態に従ったテーピング用テープは、表面に粘着層が形成された基材を含むテーピング用テープであって、基材は、平面視における中央部と第１部分と第２部分とを含む。第１部分は、中央部から第１の方向に延びる。第２部分は、中央部から、第１の方向とは異なる第２の方向に延びる。第１部分および第２部分は、弾性を有する部分を有する。
【０００７】
この発明の一実施形態に従ったテープ部材は、上記テーピング用テープと、剥離シートとを備える。剥離シートは、粘着層と接触することによりテーピング用テープを支持する。
【発明の効果】
【０００８】
上記によれば、身体表面の一部を持上げるような処置を補助することが可能なテーピング用テープおよびテープ部材を提供できる。
【図面の簡単な説明】
【０００９】
【図１】本実施形態に従ったテーピング用テープの平面模式図である。
【図２】図１の線分ＩＩ−ＩＩにおける断面模式図である。
【図３】本実施形態に従ったテープ部材の表側から見た平面模式図である。
【図４】本実施形態に従ったテープ部材の裏側から見た平面模式図である。
【図５】図３の線分Ｖ−Ｖにおける断面模式図である。
【図６】本実施形態に従ったテープ部材の変形例を表側から見た平面模式図である。
【図７】本実施形態に従ったテープ部材の変形例を裏側から見た平面模式図である。
【図８】図６の線分ＶＩＩＩ−ＶＩＩＩにおける断面模式図である。
【図９】本実施形態に従ったテーピング用テープの使用方法を説明するフローチャートである。
【図１０】本実施形態に従ったテーピング用テープの使用方法を説明するための模式図である。
【図１１】本実施形態に従ったテーピング用テープの使用方法を説明するための模式図である。
【図１２】本実施形態に従ったテーピング用テープの使用方法を説明するための模式図である。
【図１３】本実施形態に従ったテーピング用テープの他の変形例を示す平面模式図である。
【図１４】本実施形態に従ったテープ部材の他の変形例を示す平面模式図である。
【図１５】本実施形態に従ったテーピング用テープの他の変形例を示す平面模式図である。
【図１６】本実施形態に従ったテープ部材の他の変形例を示す平面模式図である。
【発明を実施するための形態】
【００１０】
以下、図面に基づいて本発明の実施の形態を説明する。なお、以下の図面において同一または相当する部分には同一の参照番号を付しその説明は繰返さない。
【００１１】
＜テーピング用テープ＞
図１および図２を参照して、本実施形態に係るテーピング用テープ１０を説明する。図１および図２に示すテーピング用テープ１０は、基材１と当該基材１の表面に形成された粘着層２とからなる。基材１は、平面視における中央部１０ａと、当該中央部１０ａから第１の方向に延びる第１部分である突出部１０ｂと、突出部１０ｂとは異なる方向に延びる第２部分である突出部１０ｄと、突出部１０ｂ、１０ｄと異なる方向に延びる第３部分である突出部１０ｃと、さらに上記突出部１０ｂ、１０ｃ、１０ｄと異なる方向に延びる第４部分である突出部１０ｅとを有する。異なる観点から言えば、突出部１０ｂと突出部１０ｄとは、中央部１０ａを挟むように中央部１０ａにおける対向する周縁部から突出するように配置されている。また、突出部１０ｃと突出部１０ｅとは、中央部１０ａを挟むように配置されている。
【００１２】
突出部１０ｂ〜１０ｅの平面形状は半円状である。なお、突出部１０ｂ〜１０ｅの平面形状は上記半円状に限らず、三角形状、四角形状、台形状など、任意の形状とすることができる。
【００１３】
突出部１０ｂ〜１０ｅは、弾性を有する部分を含む。たとえば、突出部１０ｂ〜１０ｅが弾性を有する材料により構成されていてもよい。基材１を構成する材料としては任意の樹脂を用いることができる。具体的には、基材１の材料として弾性を有する（伸縮性を有する）材料、たとえばポリウレタン樹脂、シリコーン樹脂、熱可塑性ゴム（ＴＰＲ）、合成ゴム、エチレン−酢酸ビニル共重合樹脂（ＥＶＡ）、ポリ塩化ビニル樹脂（ＰＶＣ）などを用いることができる。また、基材１の材料として、織物、編み物、不織布など（たとえば綿布、ポリエステル布、ナイロン布など）を用いてもよい。また、上述した樹脂の発泡材（たとえばＥＶＡフォームやＰＶＣフォームなど）を用いてもよい。この場合、粘着層２として弾性（伸縮性）を有する材料を用いることが好ましい。
【００１４】
また、基材１の材料として、上述した材料を組み合わせて用いてもよい。たとえば、織物、編み物、不織布などをベース体として、当該ベース体に樹脂を含浸させたもの（織物などのベース体と樹脂との複合材料）を基材１の材料として用いてもよい。この場合、たとえば基材１の厚みはベース体の厚みとなっており、ベース体を構成する繊維の間に樹脂が含浸した状態の複合材料を用いてもよい。あるいは、樹脂の内部に上述したベース体を埋設した複合材料を基材１の材料として用いてもよい。たとえば、基材１の厚みは樹脂層の厚みとなっており、当該樹脂層の内部に上述した織物などのベース体が埋設された複合材料を基材１の材料として用いてもよい。また、このような複合材料において、樹脂と組み合わせるベース体としては１つの種類の織物などを用いてもよいが、材質や繊維のサイズなどが異なる複数種類の織物や編み物などを組み合わせてベース体としてもよい。また、このような複合材料を構成する樹脂として、上述したＥＶＡフォームなどの樹脂の発泡材を用いてもよい。
【００１５】
また、基材１の厚みとしては、たとえば５μｍ以上２ｍｍ以下とすることができる。また、基材１の厚みは、１０μｍ以上１ｍｍ以下としてもよい。たとえば、基材１として樹脂シートを用いる場合、基材１の厚みの下限を１０μｍ以上、あるいは１５μｍ以上とすることができる。また、基材１の厚みの上限を５０μｍ以下、あるいは４０μｍ以下とすることができる。また、基材１として樹脂の発泡材シートを用いる場合、基材１の厚みをの下限を０．５ｍｍ以上、あるいは０．７ｍｍ以上、あるいは０．８ｍｍ以上としてもよい。また、基材１の厚みの上限を２ｍｍ以下、あるいは１．５ｍｍ以下、あるいは１ｍｍ以下としてもよい。
【００１６】
粘着層２の材料としては、粘着性を有する任意の材料を用いることができるが、たとえばアクリル系接着剤、シリコーン系接着剤、ポリエステル系接着剤などを用いることができる。
【００１７】
粘着層２の厚みとしては、たとえば１０μｍ以上０．５ｍｍ以下とすることができる。また、粘着層２の厚みの下限は１５μｍ以上、あるいは２０μｍ以上としてもよい。また、粘着層２の厚みの上限は、０．４ｍｍ（４００μｍ）以下、あるいは０．３ｍｍ以下、あるいは０．２ｍｍ以下、あるいは０．１ｍｍ以下としてもよい。
【００１８】
このようなテーピング用テープ１０を、後述するように身体表面に貼付することで、テーピング用テープ１０の基材１の中央部１０ａ下に位置する身体表面の部分を求心的に（中央部１０ａの下に位置する身体表面の部分の周囲の皮膚を中央部１０ａの方向に寄せるようにして）持上げられた状態とすることができる（詳細は後述する）。
【００１９】
＜テープ部材＞
図３〜図５を参照して、本実施形態に従ったテープ部材２０を説明する。テープ部材２０は、図１および図２に示したテーピング用テープ１０を、支持部材としての剥離シートに貼付したものである。具体的には、テープ部材２０は、剥離シート１１と保護シート１２とによりテーピング用テープ１０を挟んで固定したものである。剥離シート１１と保護シート１２の平面形状は、基本的にテーピング用テープ１０と同じになっている。
【００２０】
保護シート１２は、テーピング用テープ１０の基材１と接続されている。たとえば、保護シート１２においてテーピング用テープ１０の基材１と接触する表面には粘着層が形成されていてもよい。保護シート１２は、テーピング用テープ１０の中央部１０ａと重なる位置に配置される保護シート中央部１２ａと、テーピング用テープ１０の突出部１０ｂ〜１０ｅと重なる位置に配置される保護シート突出部１２ｂ〜１２ｅとを含む。
【００２１】
保護シート中央部１２ａの平面形状は、たとえば実質的に四角形状であるが、他の任意の形状としてもよい。たとえば、保護シート中央部１２ａの平面形状を円形状、あるいは楕円形状としてもよい。保護シート中央部１２ａと、保護シート突出部１２ｂ〜１２ｅとは、境界部１４（切れ込み部）において互いに分離可能になっている。異なる観点から言えば、保護シート１２では、保護シート中央部１２ａ、保護シート突出部１２ｂ〜１２ｅの境界部１４に切れ込みが形成されており、保護シート中央部１２ａ、保護シート突出部１２ｂ〜１２ｅをそれぞれ個別にテーピング用テープ１０から剥がすことができる。
【００２２】
剥離シート１１は、テーピング用テープ１０の粘着層２と接続されている。剥離シート１１は、テーピング用テープ１０の中央部１０ａと重なる位置に配置される剥離シート中央部１１ａと、テーピング用テープ１０の突出部１０ｂ〜１０ｅと重なる位置に配置される剥離シート突出部１１ｂ〜１１ｅとを含む。
【００２３】
剥離シート中央部１１ａの平面形状はたとえば円形状であるが、他の任意の形状としてもよい。たとえば、剥離シート中央部１１ａの平面形状を四角形状などの多角形状、あるいは楕円形状としてもよい。剥離シート中央部１１ａと、剥離シート突出部１１ｂ〜１１ｅとは、境界部１３（切れ込み部）において互いに分離可能になっている。異なる観点から言えば、剥離シート１１では、剥離シート中央部１１ａ、剥離シート突出部１１ｂ〜１１ｅの境界部１３に切れ込みが形成されており、剥離シート中央部１１ａ、剥離シート突出部１１ｂ〜１１ｅをそれぞれ個別にテーピング用テープ１０から剥がすことができる。
【００２４】
このようにテーピング用テープ１０を剥離シート１１および保護シート１２により挟んだ状態のテープ部材２０とすることで、テーピング用テープ１０の取り扱いを容易にすることができる。また、剥離シート１１においては剥離シート中央部１１ａが他の部分から独立してテーピング用テープ１０から剥がすことができるので、テーピング用テープ１０の中央部１０ａの粘着層２のみを露出させることができる。このため、当該中央部１０ａを先に身体表面に粘着層２によって固定することができる。この結果、後述するテーピング用テープ１０の使用方法を容易に実施することができる。
【００２５】
図３および図４からわかるように、保護シート１２における保護シート中央部１２ａと保護シート突出部１２ｂ〜１２ｅとの境界部の位置は、剥離シート１１における剥離シート中央部１１ａと剥離シート突出部１１ｂ〜１１ｅとの境界部の位置と異なっている。具体的には、保護シート１２における保護シート中央部１２ａと保護シート突出部１２ｂ〜１２ｅとの境界部の位置は、剥離シート１１における剥離シート中央部１１ａと剥離シート突出部１１ｂ〜１１ｅとの境界部の位置よりテープ部材２０の外周側に近い位置に配置されている。このようにすれば、保護シート１２での当該境界部（切れ込み）と剥離シート１１における当該境界部（切れ込み）とが重なった位置に形成される場合より、当該境界部を形成するため保護シート１２および剥離シート１１を切断するときに、テーピング用テープ１０も切断されて分離する、といった可能性を低減できる。
【００２６】
剥離シート１１の材料としては、任意の材料を用いることができるが、たとえば紙（表面に樹脂コーティングが形成された紙など）や樹脂シート（たとえばＰＥＴ製のシート）などを用いることができる。剥離シート１１の厚みとしては、たとえば１００μｍ以上１ｍｍ以下とすることができる。また、保護シート１２の材質についても、上述した剥離シート１１の材料と同様の材料を用いることができる。ただし、保護シート１２と剥離シート１１とは別の材料により構成してもよい。また、テープ部材２０の表面と裏面とを識別し易くするため、保護シート１２の色と剥離シート１１の色とを変えてもよい。また、保護シート１２の厚みは、上述した剥離シート１１の厚みと同様としてもよいが、剥離シート１１の厚みとは異なる厚みとしてもよい。
【００２７】
図６〜図８を参照して、本実施形態に従ったテープ部材２０の変形例を説明する。図６〜図８に示すテープ部材２０は、基本的には図３〜図５に示したテープ部材２０と同様の構成を備えるが、剥離シート１１の平面形状が図３〜図５に示したテープ部材２０と異なっている。すなわち、図６〜図８に示したテープ部材２０の剥離シート１１は、その外周の位置がテーピング用テープ１０および保護シート１２の外周の位置より外側になっている。つまり、剥離シート１１の面積はテーピング用テープ１０および保護シート１２の面積より大きくなっている。剥離シート１１の平面形状は四角形状となっている。剥離シート１１は、テーピング用テープ１０の中央部１０ａと重なる位置に配置される剥離シート中央部１１ａと、テーピング用テープ１０の突出部１０ｂ〜１０ｅと重なるとともに、当該突出部１０ｂ〜１０ｅの外周部より外側にまで延びる剥離シート突出部１１ｂ〜１１ｅとを含む。
【００２８】
このようなテープ部材２０によっても、図３〜図５に示したテープ部材２０と同様の効果を得ることができる。さらに、剥離シート１１がテーピング用テープ１０より大きくなっており、テーピング用テープ１０の形状とは独立して剥離シート１１の形状を決定できるため、当該剥離シート１１の外形を同じにして異なる形状のテーピング用テープ１０を含むテープ部材２０を形成することができる。
【００２９】
＜テーピング用テープの使用方法＞
図９〜図１２を参照して、本実施形態に従ったテーピング用テープの使用方法を説明する。テーピング用テープ１０の使用方法としては、まず図９に示すように中央部を固定する工程（Ｓ１０）を実施する。具体的には、テーピング用テープ１０を含むテープ部材２０（たとえば図３〜図５に示すテープ部材２０）において、剥離シート中央部１１ａをテープ部材２０から剥がす。この結果、テーピング用テープ１０の中央部１０ａ下に位置する粘着層２の部分が露出する。図１０に示すように、この粘着層２の露出した部分を、テーピング用テープ１０を貼りたい身体表面の所定の位置に貼付して固定する。なお、図１０および図１１、図１２においては、説明を容易にするためにテープ部材２０の剥離シート１１および保護シート１２を表示せず、テーピング用テープ１０のみを表示している。
【００３０】
次に、図９に示すように、外周部を固定する工程（Ｓ２０）を実施する。具体的には、図１１に示すように、テーピング用テープ１０の突出部１０ｂ〜１０ｅの１つである突出部１０ｂを矢印３１の方向へ延ばす。このとき、中央部１０ａは身体表面の所定の位置に固定されており、当該中央部１０ａから離れる方向（矢印３１に示す方向）に突出部１０ｂを引き延ばす。なお、実際には、突出部１０ｂを挟むように配置されている剥離シート突出部１１ｂと保護シート突出部１２ｂとにより上記突出部１０ｂを挟んで、当該突出部１０ｂを引き延ばすことになる。そして、突出部１０ｂが矢印３１の方向に引き延ばされた状態で、剥離シート突出部１１ｂを突出部１０ｂから剥がし、当該突出部１０ｂの粘着層を身体表面に貼付する。その後、保護シート突出部１２ｂを突出部１０ｂから剥がす。このようにして、テーピング用テープ１０の突出部１０ｂが矢印３１の方向に延ばされた状態で身体表面に貼りつけられるため、突出部１０ｂの弾性によって当該突出部１０ｂが貼付された身体表面の部分には矢印３２に示す方向の力（中央部１０ａに向かう方向の力）が加えらえる。
【００３１】
その後、突出部１０ｃ、１０ｄ、１０ｅのそれぞれについても、同様に中央部１０ａから離れる方向へ引き延ばした状態で身体表面に貼付する。この結果、図１２に示すように突出部１０ｂ〜１０ｅのそれぞれが、中央部１０ａに向かう方向（図１２の矢印で示す方向）へ身体表面に対して力を加えることになる。
【００３２】
このような力により、身体表面において中央部１０ａが固定された部分に向けて、当該中央部１０ａの周囲の身体表面の部分が寄せられることになり、結果的に中央部１０ａが固定された身体表面の部分を、持上げられた状態とすることができる。
【００３３】
＜他の変形例＞
図１３および図１４を参照して、本実施形態に係るテーピング用テープおよびテープ部材の他の変形例を説明する。なお、図１４は、テープ部材２０を保護シート１２側から見た模式図を示している。
【００３４】
図１３に示したテーピング用テープ１０は、基本的には図１および図２に示したテーピング用テープ１０と同様の構成を備えるが、テーピング用テープ１０の平面形状が異なっている。図１３に示したテーピング用テープ１０は、中央部１０ａと、当該中央部１０ａの外周から突出する３つの突出部１０ｂ〜１０ｄとを備える。このような平面形状のテーピング用テープ１０によっても、図１および図２に示したテーピング用テープ１０と同様の効果を得ることができる。
【００３５】
また、図１４に示したテープ部材２０は、基本的には図６〜図８に示したテープ部材２０と同様の構成を備えるが、テープ部材２０を構成するテーピング用テープ１０、剥離シート１１および保護シート１２の平面形状が図６〜図８に示したテープ部材２０とは異なっている。テープ部材２０を構成するテーピング用テープの平面形状は、図１３に示したテーピング用テープ１０の平面形状と同様である。また、保護シート１２の平面形状は当該テーピング用テープ１０の平面形状と同様である。また、剥離シート１１の平面形状は、テーピング用テープ１０が３つの突出部１０ｂ〜１０ｄを有することに対応して、三角形状となっている。
【００３６】
保護シート１２は、テーピング用テープ１０の中央部１０ａと重なる位置に配置される保護シート中央部１２ａと、テーピング用テープ１０の突出部１０ｂ〜１０ｄと重なる位置に配置される保護シート突出部１２ｂ〜１２ｄとを含む。
【００３７】
保護シート中央部１２ａの平面形状は任意の形状としてもよい。保護シート中央部１２ａと、保護シート突出部１２ｂ〜１２ｄとは、境界部１４において互いに分離可能になっている。
【００３８】
剥離シート１１は、テーピング用テープ１０の中央部１０ａと重なる位置に配置される剥離シート中央部１１ａと、テーピング用テープ１０の突出部１０ｂ〜１０ｄと重なるとともに、当該突出部１０ｂ〜１０ｄの外周部より外側にまで延びる剥離シート突出部１１ｂ〜１１ｄとを含む。剥離シート中央部１１ａと、剥離シート突出部１１ｂ〜１１ｄとは、境界部１３において互いに分離可能になっている。このようなテープ部材２０によっても、図６〜図８に示したテープ部材２０と同様の効果を得ることができる。
【００３９】
なお、図１４に示したテープ部材２０において、剥離シート１１の平面形状をテーピング用テープ１０の平面形状と同様としてもよい。この場合も、図３〜図５に示したテープ部材２０と同様の効果を得ることができる。
【００４０】
図１５および図１６を参照して、本実施形態に係るテーピング用テープおよびテープ部材のさらに他の変形例を説明する。なお、図１６は、テープ部材２０を保護シート１２側から見た模式図を示している。
【００４１】
図１５に示したテーピング用テープ１０は、基本的には図１および図２に示したテーピング用テープ１０と同様の構成を備えるが、テーピング用テープ１０の平面形状が異なっている。図１５に示したテーピング用テープ１０は、中央部１０ａと、当該中央部１０ａの外周から突出する２つの突出部１０ｂ、１０ｃとを備える。２つの突出部１０ｂ、１０ｃは、中央部１０ａから見て互いに反対側に配置されている。このような平面形状のテーピング用テープ１０によっても、図１および図２に示したテーピング用テープ１０と同様の効果を得ることができる。
【００４２】
また、図１６に示したテープ部材２０は、基本的には図６〜図８に示したテープ部材２０と同様の構成を備えるが、テープ部材２０を構成するテーピング用テープ１０および保護シート１２の平面形状が図６〜図８に示したテープ部材２０とは異なっている。テープ部材２０を構成するテーピング用テープの平面形状は、図１５に示したテーピング用テープ１０の平面形状と同様である。保護シート１２の平面形状は当該テーピング用テープ１０の平面形状と同様である。なお、剥離シート１１の平面形状は図６〜図８に示したテープ部材２０における剥離シート１１の平面形状と同様に四角形状であるが、テーピング用テープ１０が２つの突出部１０ｂ、１０ｃを有することに対応して、境界部１３の配置が図６〜図８に示した剥離シート１１とは異なっている。
【００４３】
保護シート１２は、テーピング用テープ１０の中央部１０ａと重なる位置に配置される保護シート中央部１２ａと、テーピング用テープ１０の突出部１０ｂ、１０ｃと重なる位置に配置される保護シート突出部１２ｂ、１２ｃとを含む。保護シート中央部１２ａの平面形状は任意の形状としてもよい。保護シート中央部１２ａと、保護シート突出部１２ｂ、１２ｃとは、境界部１４において互いに分離可能になっている。
【００４４】
剥離シート１１は、テーピング用テープ１０の中央部１０ａと重なる位置に配置される剥離シート中央部１１ａと、テーピング用テープ１０の突出部１０ｂ、１０ｃと重なるとともに、当該突出部１０ｂ、１０ｃの外周部より外側にまで延びる剥離シート突出部１１ｂ、１１ｃとを含む。剥離シート中央部１１ａと、剥離シート突出部１１ｂ、１１ｃとは、境界部１３において互いに分離可能になっている。このようなテープ部材２０によっても、図６〜図８に示したテープ部材２０と同様の効果を得ることができる。
【００４５】
なお、図１６に示したテープ部材２０において、剥離シート１１の平面形状をテーピング用テープ１０の平面形状と同様としてもよい。この場合も、図３〜図５に示したテープ部材２０と同様の効果を得ることができる。
【００４６】
また、本実施形態に係るテーピング用テープおよびテープ部材においては、中央部１０ａから２方向〜４方向に延びる複数の突出部が形成されているが、当該突出部の数は５以上であってもよい。たとえば、中央部１０ａからそれぞれ異なる方向に延びる５つの突出部、あるいは６つ以上の突出部が形成されていてもよい。また、上述したように複数の突出部は、中央部１０ａから見て点対称（あるいは中央部１０ａの外周に沿った周方向において隣接する突出部の間の距離が同じ）になるように形成されていてもよい。また、複数の突出部は、中央部１０ａの外周に沿った周方向において、隣接する突出部の間の距離が部分的に異なるように形成されていてもよい。
【００４７】
上述した説明と一部重複する部分もあるが、本発明の実施形態の特徴的な構成を列挙する。
【００４８】
この発明の一実施形態に従ったテーピング用テープ１０は、表面に粘着層２が形成された基材１を含むテーピング用テープ１０であって、基材１は、平面視における中央部１０ａと第１部分（図１、図１３、図１５の突出部１０ｂ）と第２部分（図１の突出部１０ｄ、図１３および図１５の突出部１０ｃ）とを含む。第１部分（図１、図１３、図１５の突出部１０ｂ）は、中央部１０ａから第１の方向に延びる。第２部分（図１の突出部１０ｄ、図１３および図１５の突出部１０ｃ）は、中央部１０ａから、第１の方向とは異なる第２の方向に延びる。第１部分および第２部分は、弾性を有する部分を有する。
【００４９】
このようにすれば、テーピング用テープ１０を身体に貼付するときに、基材１の中央部１０ａを身体表面に粘着層２によって固定するとともに、第１部分（たとえば図１の突出部１０ｂ）および第２部分（たとえば図１の突出部１０ｄ）を中央部１０ａから離れる方向に弾性変形させた状態で身体表面に貼付することで、当該第１部分および第２部分が貼付された身体表面の部分に対して、中央部１０ａに向かう方向（図１２の矢印で示す方向）に力を加えることができる。この結果、中央部１０ａが貼付された身体表面の部分が第１部分および第２部分が位置する側から挟まれて求心的に持上げられた状態とすることができる。
【００５０】
上記テーピング用テープ１０において、基材１は、中央部１０ａから、第１の方向および第２の方向のいずれとも異なる第３の方向に延びる第３部分（図１の突出部１０ｃ、図１３の突出部１０ｄ）を含んでいてもよい。
【００５１】
この場合、第１部分および第２部分とは異なる方向に位置する第３部分も、中央部１０ａから離れる方向に弾性変形させた状態で身体表面に貼付することで、当該第３部分が貼付された身体表面の部分に対して、中央部１０ａに向かう方向に力を加えることができる。このため、中央部１０ａが貼付された身体表面の部分をより持上げられた状態とすることができる。
【００５２】
上記テーピング用テープ１０において、基材１は、中央部１０ａから、第１の方向、第２の方向および第３の方向のいずれとも異なる第４の方向に延びる第４部分（図１の突出部１０ｅ）を含んでいてもよい。
【００５３】
この場合、第１〜第３部分とは異なる方向に位置する第４部分（図１の突出部１０ｅ）も、中央部１０ａから離れる方向に弾性変形させた状態で身体表面に貼付することで、当該第４部分が貼付された身体表面の部分に対して、中央部１０ａに向かう方向に力を加えることができる。このため、中央部１０ａが貼付された身体表面の部分をより持上げられた状態とすることができる。
【００５４】
この発明の一実施形態に従ったテープ部材２０は、上記テーピング用テープ１０と、剥離シート１１とを備える。剥離シート１１は、粘着層２と接触することによりテーピング用テープ１０を支持する。
【００５５】
このようにすれば、テーピング用テープ１０を、剥離シート１１によってテーピング用テープ１０が支持されたテープ部材２０として容易に取り扱うことができる。
【００５６】
上記テープ部材２０では、剥離シート１１において、中央部１０ａと平面視において重なる部分（剥離シート中央部１１ａ）が他の部分（剥離シート突出部１１ｂ〜１１ｅ）と独立してテーピング用テープ１０から剥離可能になっていてもよい。
【００５７】
この場合、テーピング用テープ１０の基材１における中央部１０ａについて、先に粘着層２を露出させることができる。このため、中央部１０ａの粘着層２を先に身体表面に貼付した上で、第１部分および第２部分を弾性変形させた状態で身体表面に貼付する作業を容易に行うことができる。
【００５８】
上記テープ部材２０は、テーピング用テープ１０において剥離シート１１が接続された側と反対側に保護シート１２をさらに備えていてもよい。この場合、テーピング用テープ１０を保護シート１２と剥離シート１１とにより保護することができる。
【００５９】
また、上記テーピング用テープ１０を構成する材料については、透湿性の材料を用いてもよい。また、テーピング用テープ１０に対して、滅菌処理を施してもよい。
【００６０】
以上のように本発明の実施の形態について説明を行ったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【産業上の利用可能性】
【００６１】
この発明は、スポーツや治療などにおいて身体に貼付するテーピング用テープに特に有利に適用される。
【符号の説明】
【００６２】
１  基材、２  粘着層、１０  テーピング用テープ、１０ａ  中央部、１０ｂ，１０ｃ，１０ｄ，１０ｅ  突出部、１１  剥離シート、１１ａ  剥離シート中央部、１１ｂ，１１ｃ，１１ｄ，１１ｅ  剥離シート突出部、１２  保護シート、１２ａ  保護シート中央部、１２ｂ，１２ｃ，１２ｄ，１２ｅ  保護シート突出部、１３，１４  境界部、２０  テープ部材、３１，３２  矢印。
【図１】
2016116604.tif 000003
【図２】
2016116604.tif 000004
【図３】
2016116604.tif 000005
【図４】
2016116604.tif 000006
【図５】
2016116604.tif 000007
【図６】
2016116604.tif 000008
【図７】
2016116604.tif 000009
【図８】
2016116604.tif 000010
【図９】
2016116604.tif 000011
【図１０】
2016116604.tif 000012
【図１１】
2016116604.tif 000013
【図１２】
2016116604.tif 000014
【図１３】
2016116604.tif 000015
【図１４】
2016116604.tif 000016
【図１５】
2016116604.tif 000017
【図１６】
2016116604.tif 000018
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
表面に粘着層が形成された基材を含むテーピング用テープと、
前記粘着層と接触することにより前記テーピング用テープを支持する剥離シートと、
前記テーピング用テープにおいて前記剥離シートが位置する側と反対側の面に接触する保護シートとを備え、
前記基材は、
平面視における中央部と、
前記中央部から第１の方向に延びる第１部分と、
前記中央部から、前記第１の方向とは異なる第２の方向に延びる第２部分とを含み、
前記第１の部分および前記第２の部分は、伸縮性を有する部分を含み、
前記剥離シートにおいて、前記中央部と平面視において重なる部分が他の部分と独立して前記テーピング用テープから剥離可能になっており、
前記保護シートにおいて、前記第１部分と平面視において重なる部分が、前記中央部と平面視において重なる部分と分離可能になっており、
前記保護シートにおいて、前記第２部分と平面視において重なる部分が、前記中央部と平面視において重なる部分と分離可能になっている、テープ部材。
【請求項２】
前記基材は、前記中央部から、前記第１の方向および前記第２の方向のいずれとも異なる第３の方向に延びる第３部分を含み、
前記保護シートにおいて、前記第３部分と平面視において重なる部分が、前記中央部と平面視において重なる部分と分離可能になっている、請求項１に記載のテープ部材。
【請求項３】
前記基材は、前記中央部から、前記第１の方向、前記第２の方向および前記第３の方向のいずれとも異なる第４の方向に延びる第４部分を含み、
前記保護シートにおいて、前記第４部分と平面視において重なる部分が、前記中央部と平面視において重なる部分と分離可能になっている、請求項２に記載のテープ部材。
【請求項４】
前記剥離シートの外周の位置は、前記テーピング用テープの外周の位置より外側になっている、請求項１〜３のいずれか１項に記載のテープ部材。
【手続補正３】
【補正対象書類名】明細書
【補正対象項目名】０００６
【補正方法】変更
【補正の内容】
【０００６】
この発明の一実施形態に従ったテープ部材は、表面に粘着層が形成された基材を含むテーピング用テープと、粘着層と接触することによりテーピング用テープを支持する剥離シートと、テーピング用テープにおいて剥離シートが位置する側と反対側の面に接触する保護シートとを備える。基材は、平面視における中央部と第１部分と第２部分とを含む。第１部分は、中央部から第１の方向に延びる。第２部分は、中央部から、第１の方向とは異なる第２の方向に延びる。第１部分および第２部分は、伸縮性を有する部分を含む。剥離シートにおいて、中央部と平面視において重なる部分が他の部分と独立してテーピング用テープから剥離可能になっている。保護シートにおいて、第１部分と平面視において重なる部分が、中央部と平面視において重なる部分と分離可能になっている。保護シートにおいて、第２部分と平面視において重なる部分が、中央部と平面視において重なる部分と分離可能になっている。
【手続補正４】
【補正対象書類名】明細書
【補正対象項目名】０００７
【補正方法】削除
【補正の内容】